(57)【特許請求の範囲】
【請求項１】
管端どうしを向き合わせて配置し、両管に跨がってその外周面に環状ハウジングの二分割片を外嵌装着すると共に、前記ハウジング二分割片の内周面環状溝部に両管に跨がるパッキンを配設し、前記二分割片の両端フランジどうしを連結してなるハウジング型管継手において、二分割片の一方側の接合端面部にフランジ及び凹部を設け、該フランジの凹部どうしに跨がってＨ形の連結ピンを係合させると共に、Ｈ形の連結ピンを装着した後の凹部に抜止部材を取り付け、二分割片どうしが前記連結ピンの両頭部を中心に開閉自在と成し、二分割片の他方側の接合端面部にフランジを設けてボルト及びナットで締結するようにしたことを特徴とするハウジング型管継手。
【請求項２】
ボルトの頭部が他方のフランジに引っ掛ける構造である請求項１に記載のハウジング型管継手。
【請求項３】
管の外周面に係止用凸部を有し、ハウジング二分割片の管軸方向の端面部から突出した係止用フックを前記係止用凸部に係合させることで管どうしの抜止とした請求項１又は２のいずれかに記載のハウジング型管継手。
【発明の詳細な説明】
【０００１】
【発明の属する技術分野】
本発明は、管と管とを可撓性を持って且つ伸縮自在に接続されたハウジング型の管継手に関するものである。
【０００２】
【従来の技術】
従来のハウジング型管継手の一例としては、特許文献１に記載された技術がある。これを示せば、図１１〜図１３の通りである。このハウジング型管継手は、管１Ａと１Ｂの管端どうしを向き合わせて配置し、これらの両管の外周面に跨がって二分割された環状のハウジング片２Ａ，２Ｂを外嵌装着し、ハウジング片２Ａ，２Ｂの内周面側に形成された環状溝部３Ａ，３Ｂにパッキン４を装入している。パッキン４は、その内周面側に圧力室５を有し、管外周面と接合する部分に内側へ向かうに連れ肉厚が薄くなるリブ６を有している。このリブ６は、圧力室５に水圧がかかると、管外周面に対して押し付けられるようになり、優れた水密性を確保するためのものである。
【０００３】
而して、二分割された環状のハウジング片２Ａ，２Ｂどうしは、対向する端面側にフランジ７を有し、該フランジ７どうしをボルト８及びナット９を用いて締結することで管継手を構成するようにしている。
【０００４】
【特許文献１】
特開平１１−２１８２７４号公報（特に明細書の［００１０］〜［００１５］の記載並びに図１〜図３を参照）
【０００５】
【発明が解決しようとする課題】
ところで、図１１〜図１３に示す特許文献１に記載された従来技術にあっては、管離脱防止装置を工場で一旦組み立てて仮締めし、一揃いのセットにして出荷している。そして、現場において、ボルト８及びナット９を外して全体をバラバラにし、パッキン４を両方の管１Ａ，１Ｂに跨がるように外嵌装着し、続いて上下のハウジング片２Ａ，２Ｂをパッキン４に被せて管１Ａ，１Ｂの外周面へ装着し、最後にボルト８及びナット９を締結している。ところが、この特許文献１の技術では、ボルト８及びナット９を外したときに、上下の部品がバラバラになり、元の状態に再組み立てするのに熟慮を要し、熟練と手間を要するという欠点があった。しかも、バラバラの部品を紛失する虞もあった。
【０００６】
本発明は従来の前記課題に鑑みてこれを改良除去したものであって、部品がバラバラにならず、しかも製造が容易であり、自動調心作用を有するハウジング型管継手を提供せんとするものである。
【０００７】
【課題を解決するための手段】
而して、前記課題を解決するために本発明が採用した請求項１の手段は、管端どうしを向き合わせて配置し、両管に跨がってその外周面に環状ハウジングの二分割片を外嵌装着すると共に、前記ハウジング二分割片の内周面環状溝部に両管に跨がるパッキンを配設し、前記二分割片の両端フランジどうしを連結してなるハウジング型管継手において、二分割片の一方側の接合端面部にフランジ及び凹部を設け、該フランジの凹部どうしに跨がってＨ形の連結ピンを係合させると共に、Ｈ形の連結ピンを装着した後の凹部に抜止部材を取り付け、二分割片どうしが前記連結ピンの両頭部を中心に開閉自在と成し、二分割片の他方側の接合端面部にフランジを設けてボルト及びナットで締結するようにしたことを特徴とするハウジング型管継手である。
【０００８】
この発明では、ハウジングの二分割片の一方側の接合端面部にＨ形の連結ピンが装着されており、他方側の接合端面部はボルト及びナットで締結するようにしている。そのため、ボルト及びナットのボルト頭側を引っ掛けたままにしてこれを外すと、二分割された金具片は、Ｈ形の連結ピンの２つの頭部を中心にして開くようになり、管の外周面へ開いたままで装着することができる。しかも、その場合に二分割片がバラバラになることはない。また開いたときに、二分割片がねじれることもない。締結は、ボルト及びナットを片方側で締結するだけでよく、作業工数を半分にすることができ、施工作業性においても優れている。
またカシメや無理嵌め等によって抜止部材を凹部へ固定することにより、Ｈ形ピンの抜止構造を容易に実現することができ、螺子孔加工等が不要であるため、極めて作業性がよい。
【０００９】
本発明が採用した請求項２の手段は、ボルトの頭部が他方のフランジに引っ掛ける構造である請求項１に記載のハウジング型管継手である。
この発明によれば、ボルト及びナットのボルト頭側を引っ掛けたままにしてハウジング二分割片を開くことができ、全部の部品をバラバラにすることなく、管へ装着することができ、便利である。
【００１０】
更に、本発明が採用した請求項３の手段は、管の外周面に係止用凸部を有し、ハウジング二分割片の管軸方向の端面部から突出した係止用フックを前記係止用凸部に係合させることで管どうしの抜止とした請求項１又は２のいずれかに記載のハウジング型管継手である。
管外周面の係止用凸部と、ハウジング二分割片の係止用フックとを係合させることにより、管どうしの離脱防止機能を有し、専用の管離脱防止装置等を準備する必要がない。
【００１１】
【発明の実施の形態】
以下に、本発明の構成を図面に示す発明の実施の形態に基づいて説明すると次の通りである。図１乃至図６は本発明の第１の実施の形態に係るものであり、図１はハウジング型管継手１０の左側端面図、図２は同継手１０の部分縦断面図、図３は同管継手１０の変形例を示す部分縦断面図である。図４は同管継手１０の正面図、図５は同管継手１０の背面図である。また図６はＨ形ピン１１の斜視図である。
【００１２】
この第１の実施の形態のハウジング型管継手１０は、環状ハウジングの二分割片１２Ａ，１２Ｂと、ゴムパッキン１３と、Ｈ形ピン１１と、管外周面側に環状に形成した係止凸部１４と、抜止部材１５と、ボルト１６及びナット１７とから成る。環状ハウジングの二分割片１２Ａ，１２Ｂは、管端どうしを向き合わせて対向配置した管１８Ａ，１８Ｂに跨がって外嵌装着される軸方向長さ寸法を有し、管端どうしの部分に対応する中央の内周面側には、ゴムパッキン１３を装着するための断面台形状の環状溝１９が形成されている。この環状溝１９には、ゴムパッキン１３の滑りをよくするため、潤滑剤が塗布されている。
【００１３】
また各管１８Ａ，１８Ｂの外周面と接合する部分には、前記管外周面突出形成した係止凸部１４と係合するための環状溝２０が形成されている。係止凸部１４は、線材を溶接して取り付けたものである。この係止凸部１４と環状溝２０とは、管１８Ａ，１８Ｂが離脱するのを防止するためのものである。なお、この離脱防止機構は、図３に示すように、ハウジングの二分割片１２Ａ，１２Ｂの両端側に内径方向へ向かう係止凸部２１を設け、管１８Ａ，１８Ｂの外周面に環状の溝２２を設けて構成してもよい。
【００１４】
ゴムパッキン１３は、その内周面側に圧力室２３が形成され、管１８Ａ，１８Ｂの外周面と接する部分には、管軸方向の内側へ向かうに連れ次第に肉厚が薄くなるリブ２４が形成されている。このゴムパッキン１３の構成は従来の場合と同じである。
【００１５】
而して、ハウジングの二分割片１２Ａ，１２Ｂは、その両端側にフランジ２５を有し、一方側は図４に示すようにボルト１６及びナット１７によって連結されており、他方側は図５に示すようにＨ形ピン１１によって連結されている。Ｈ形ピン１１は、図６に示す通りであり、上下の水平部（両頭部）１１Ａ，１１Ａと、これらを連結する縦方向の連結部１１Ｂとから成り、極めてシンプルな形状である。連結部１１Ｂは、この実施の形態では幅広の平板状のものを図示しているが、丸棒状のものであってもよい。またボルト１６は、頭部１６Ａが棒状のＴ型ボルトであり、下方側のハウジング二分割片１２Ｂのフランジ２５に形成された凹部２６へ係合するようになっている。
【００１６】
また前記Ｈ形ピン１１は、各ハウジングの二分割片１２Ａ，１２Ｂと同じようにダクタイル鋳鉄製品である。鋳造以外にも、丸棒材や平板等を適当な長さ及び大きさに切って溶接して形成することも可能である。Ｈ形ピン１１は、形状がシンプルであるため、これを鋳造で製造した場合は、嵌め合いをする部分以外に、金型の見切り面を設けることができる。そのため、余分なバリの形成がなく、嵌合させすれば精度が悪くても（鋳造公差±１ミリ）各金具はゴムパッキン１３や管に均一に接することができるので、バリ取り作業を省略でき、製造コストを安価にすることが可能である。
【００１７】
また各ハウジング二分割片１２Ａ，１２Ｂの一方側のフランジ２５には、Ｈ形ピン１１を嵌合装着するためのＵ字状の凹部２７が管軸方向に設けられている。Ｕ字状の凹部２７は、フランジ２５の底面側から突出する対向する係止凸部２８によって形成されている。この係止凸部２８は、図５に示すように、外側の中央に切欠き２９が設けられており、Ｈ形ピン１１の連結部１１Ｂが挿入できるようになっている。ハウジング二分割片１２Ａの他方側のフランジ２５には、ボルト１６の挿通孔３０が設けられている。
【００１８】
次に、このように構成されたハウジング型管継手１０の施工要領について説明する。先ず、上下のハウジング二分割片１２Ａ，１２ＢのＨ形ピン１１を装着する部位のフランジ端面側を突き合わせて開き、上下のＵ字状の凹部２７，２７の開口が横向きになるようにする。そして、この状態でＨ形ピン１１の水平部１１Ａ，１１Ａを前記Ｕ字状の凹部２７，２７へ装入し、連結部１１Ｂは切欠き２９へ装入する。Ｈ形ピン１１装入後は、ゴムパッキン１３をハウジング二分割片１２Ａ，１２Ｂの環状溝１９へ配置し、各ハウジング二分割片１２Ａ，１２Ｂを閉じる方向へ回動させる。この回動により、Ｈ形ピン１１の水平部１１Ａ，１１Ａが係止凸部２８を越えることができなくなり、このＨ形ピン１１の部分では二分割片１２Ａ，１２Ｂどうしが外れることはなくなる。然る後は、他端側の端面部のフランジ２５，２５を突き合わせてボルト３６及びナット３７で緩まない程度に仮締すればよい。
【００１９】
このようにして仮締が済んだ後は、抜止部材１５を装着する。抜止部材１５は、ダクタイル鋳鉄製であってもよく、プラスチック（例えば、ポリエチレン）製であってもよい。抜止部材１５がプラスチック製であるときは、図１に示すように、Ｈ形ピン１１を装入する側の係止凸部２８で囲まれた凹部２７へ嵌め込み、同図に示すように、外側の係止凸部２８を内径側へカシメてその先端部を抜止部材１５に食い込ませるようにし、抜止部材１５が抜け落ちないようにすればよい。また抜止部材１５がダクタイル鋳鉄製であるときは、係止凸部２８を予めカシメておき、Ｈ形ピン１１の装着後に抜止部材１５を無理嵌めすればよい。その場合は、係止凸部２８どうしの嵌め合う入口は、Ｒ面にしておけばよい。なお、抜止部材１５の下面側は、Ｈ形ピン１１の棒形状に沿った湾曲面１５Ａに形成されていてもよい。
【００２０】
これにより、ハウジング型管継手１０の仮組み立てが完了する。然る後は、この状態で工場から出荷する。そして、現場においては、ナット１７を緩め、Ｔ字状ボルト１６の頭部１６Ａを下方側のハウジング二分割片１２Ｂの凹部２６を形成する外側凸部を越えるようにし、下方側のハウジング二分割片１２Ｂから取り外す。但し、ナット１７は緩めるだけであり、Ｔ字状ボルト１６及びナット１７の全体を完全に取り外す必要はない。
【００２１】
次に、ハウジング二分割片１２Ａ，１２Ｂを、Ｈ形ピン１１の両頭部（水平部）１１Ａ，１１Ａを中心にして上方の二分割片１２Ａを図１の反時計方向へ回動させ、下方の二分割片１２Ｂを図１の時計方向へ回動させてボルト側端面部を大きく開口させ、開口間口寸法が管１８Ａ，１８Ｂの外径以上とする。そして、ゴムパッキン１３を取り出してこれを両管１８Ａ，１８Ｂに跨がって外嵌装着し、続いて前記開いた状態のハウジング二分割片１２Ａ，１２Ｂを両管１８Ａ，１８Ｂに跨がって外嵌装着すればよい。なお、Ｈ形ピン１１と凹部２７とによる係合方式で、しかも抜止部材１５を装着することにより、上方の二分割片１２Ａと、下方の二分割片１２Ｂとの開口する度合いは、管１８Ａ，１８Ｂの管外径よりもはるかに大きくすることが可能である。
【００２２】
然る後は、ボルト１６のＴ字状頭部１６Ａをそれぞれ下方側のハウジング二分割片１２Ｂへ係止させ、二分割片１２Ａ，１２Ｂの管１８Ａ，１８Ｂに対する位置決めを行った後、締付部を作業者側又は上方に回転させ、ボルト１６及びナット１７を上方から目視で確認しながら締結すればよい。この締結時において、前記Ｈ形ピン１１は、上下のハウジング二分割片１２Ａと１２Ｂとが、管１８Ａ，１８Ｂの外周面に沿うように自動調心作用を有する。つまり、各ハウジング二分割片の内周面を各管の外周面にピッタリ密着させる作用を呈する。
【００２３】
ボルト及びナットの締結作業は、管継手１０の全体において一カ所であり、従来の半分で済むので作業時間を半分に短縮することができる。また管継手１０は、仮締の状態から部品が全くバラバラになることがないので、その紛失の虞もなく、また作業性が極めて良好である。しかも、Ｈ形ピン１１の上下の水平部１１Ａ，１１Ａが管軸心線方向と同方向であるため、仮締状態のとき及び管１８Ａ，１８Ｂへの装着時に開いても、二分割片１２Ａ，１２Ｂどうしの間において捩れが発生するということもない。更に、Ｈ形ピン１１と凹部２７による係合方式であり、ピン１１の位置を管１８Ａ，１８Ｂの外周面へ近づけることができ、ボルト及びナットの締結時、Ｈ形ピン１１側のフランジ２５に大きな曲げモーメントが作用しなくなる。しかも、曲げモーメントが小さいために、フランジ２５の肉厚を薄くでき、軽量化を図ることが可能である。
【００２４】
図７〜図１０は、本発明の第２の実施の形態に係るハウジング型管継手３１を示すものであり、図７は平面図、図８は部分縦断面図、図９は左側端面図、図１０は底面図である。このハウジング型管継手３１は、管１８Ａ，１８ＢにＣ型リングの止輪３２，３３を外嵌装着してボルト３４及びナット３５で締結している。止輪３２，３３は内周面側に歯面３６が形成されており、それぞれの管端側に係止用の凸部３７が形成されている。一方、上下のハウジング二分割片３７Ａ，３７Ｂのそれぞれ中央部の軸方向端面側には、前記係止凸部３８に係合するためのフック３９が形成されている。これらの係止凸部３８とフック３９との係合により、管１８Ａ，１８Ｂの離脱防止が得られる。
【００２５】
その他の構成並びに作用効果、特にＨ形ピン１１とボルト１６及びナット１７とによるハウジング二分割片３７Ａ，３７Ｂを仮組立し、ナット１７を緩めて二分割片をＨ形ピン１１の両頭部を中心に開き、管へ装着した後、ボルト１６及びナット１７を締結して組立を完了する要領については、前記第１の実施の形態の場合と同じである。
【００２６】
【発明の効果】
以上説明したように本発明にあっては、管端どうしを向き合わせて配置し、両管に跨がってその外周面に環状ハウジングの二分割片を外嵌装着すると共に、前記ハウジング二分割片の内周面環状溝部に両管に跨がるパッキンを配設し、前記二分割片の両端フランジどうしを連結してなるハウジング型管継手において、二分割片の一方側の接合端面部にフランジ及び凹部を設け、該フランジの凹部どうしに跨がってＨ形の連結ピンを係合させると共に、Ｈ形の連結ピンを装着した後の凹部に抜止部材を取り付け、二分割片どうしが前記連結ピンの両頭部を中心に開閉自在と成し、二分割片の他方側の接合端面部にフランジを設けてボルト及びナットで締結している。
【００２７】
この発明では、ハウジングの二分割片の一方側の接合端面部にＨ形の連結ピンが装着されており、他方側の接合端面部はボルト及びナットで締結するようにしている。そのため、ボルト及びナットのボルト頭側を引っ掛けたままにしてこれを外すと、二分割された金具片は、Ｈ形の連結ピンの２つの頭部を中心にして開くようになり、管の外周面へ開いたままで装着することができる。しかも、その場合に二分割片がバラバラになることはない。また開いたときに、二分割片がねじれることもない。締結は、ボルト及びナットを片方側で締結するだけでよく、作業工数を半分にすることができ、施工作業性においても優れている。
またカシメや無理嵌め等によって抜止部材を凹部へ固定することにより、Ｈ形ピンの抜止構造を容易に実現することができ、螺子孔加工等が不要であるため、極めて作業性がよい。
【００２８】
また本発明にあっては、ボルトの頭部を他方のフランジに引っ掛ける構造としている。そのため、ボルト及びナットのボルト頭側を引っ掛けたままにしてハウジング二分割片を開くことができ、全部の部品をバラバラにすることなく、管へ装着することができ、便利である。
【００２９】
更に、本発明にあっては、管の外周面に係止用凸部を有し、ハウジング二分割片の管軸方向の端面部から突出した係止用フックを前記係止用凸部に係合させることで管どうしの抜止としている。この発明では、管外周面の係止用凸部と、ハウジング二分割片の係止用フックとを係合させることにより、管どうしの離脱防止機能が得られ、予め管に凹凸の加工を施す必要がない。更にまた、現場で管を切断するだけでよく、片面にのみ締付箇所があるので、締付忘れもなく、作業の軽減が図れる等の利点がある。
【図面の簡単な説明】
【図１】本発明の第１の実施の形態に係るハウジング型管継手の左側端面図である。
【図２】本発明の第１の実施の形態に係るハウジング型管継手の部分縦断面図である。
【図３】本発明の第１の実施の形態に係るハウジング型管継手の変形例を示す部分縦断面図である。
【図４】本発明の第１の実施の形態に係るハウジング型管継手の正面図である。
【図５】本発明の第１の実施の形態に係るハウジング型管継手の背面図である。
【図６】本発明の第１の実施の形態に係るＨ形ピンの斜視図である。
【図７】本発明の第２の実施の形態に係るハウジング型管継手の平面図である。
【図８】本発明の第２の実施の形態に係るハウジング型管継手の部分縦断面図である。
【図９】本発明の第２の実施の形態に係るハウジング型管継手の左側端面図である。
【図１０】本発明の第２の実施の形態に係るハウジング型管継手の底面図である。
【図１１】特許文献１に記載された管継手の縦断した端面図である。
【図１２】特許文献１に記載された管継手の部分横断面図である。
【図１３】特許文献１に記載された管継手のボルト部分の縦断面図である。
【符号の説明】
１０…ハウジング型管継手、１１…Ｈ形ピン、１１Ａ…水平部（頭部）、１１Ｂ…連結部、１２Ａ，１２Ｂ…ハウジング分割片、１３…ゴムパッキン、１４…係止用凸部、１５…抜止部材、１６…ボルト、１６Ａ…ボルト頭部、１７…ナット、１８Ａ，１８Ｂ…管、１９…環状溝、２０…環状溝、２１…係止用凸部、２２…環状溝、２３…圧力室、２４…リブ、２５…フランジ、２６…凹部
２７…凹部、２８…係止用凸部、２９…切欠き、３０…ボルト孔
【図１】
0003728696.tif 000002
【図２】
0003728696.tif 000003
【図３】
0003728696.tif 000004
【図４】
0003728696.tif 000005
【図５】
0003728696.tif 000006
【図６】
0003728696.tif 000007
【図７】
0003728696.tif 000008
【図８】
0003728696.tif 000009
【図９】
0003728696.tif 000010
【図１０】
0003728696.tif 000011
【図１１】
0003728696.tif 000012
【図１２】
0003728696.tif 000013
【図１３】
0003728696.tif 000014